(57)【特許請求の範囲】
【請求項１】
物品を取付対象面に取り付ける物品取付用具であって、
前記取付対象面に刺込まれる刺込部と、
前記刺込部の基端部に連接し、当該基端部から前記刺込部の側方に延出する延出部と、を有し、
前記刺込部及び前記延出部が、一体で構成され、
前記延出部には、前記取付対象面に刺込まれる係合固定用具が挿通する挿通穴が形成され、
前記刺込部には、前記挿通穴を挿通した前記係合固定用具が前記取付対象面に刺込まれた状態で係合する係合穴が形成されている物品取付用具。
【請求項２】
前記刺込部及び前記延出部が、折り曲げ加工された一体の金属板で構成され、
前記刺込部の基端部に連接し当該刺込部の前記取付対象面への刺込み方向に沿って折り返された折返部を有し、
前記折返部の端部に前記延出部が連接する請求項１に記載の物品取付用具。
【請求項３】
物品を取付対象面に取り付ける物品取付用装置であって、
前記取付対象面に刺込まれる刺込部を有する物品取付用具と、
前記取付対象面に刺込まれる係合固定用具と、を備え、
前記物品取付用具は、前記刺込部の基端部に連接し、当該基端から前記刺込部の側方に延出する延出部を有し、
前記刺込部及び前記延出部が、一体で構成され、
前記物品取付用具の延出部には、前記係合固定用具が挿通する挿通穴が形成され、
前記物品取付用具の刺込部には、前記挿通穴を挿通した前記係合固定用具が前記取付対象面に刺込まれた状態で係合する係合穴が形成されている物品取付用装置。
【請求項４】
前記物品として、前記物品取付用具の延出部と前記取付対象面との間に介装される取付プレートを備え、
前記取付プレートには、前記物品取付用具の刺込部が挿通する物品取付用具挿通穴と、前記係合固定用具が挿通する係合固定用具挿通穴とが形成されている請求項３に記載の物品取付用装置。
【請求項５】
請求項３又は４に記載の物品取付用装置において、前記物品取付用具及び前記係合固定用具の取付対象面への取り付けを補助する取付補助具であって、
前記物品取付用具の少なくとも刺込部を、当該刺込部の前記取付対象面への刺込み方向に沿ってスライド可能に案内する物品取付用具ガイド部と、
前記係合固定用具を、当該係合固定用具の前記取付対象面への刺込み方向に沿ってスライド可能に案内する係合固定用具ガイド部と、を備えた取付補助具。
【請求項６】
前記物品に対して位置決め可能な位置決め機構部を備えた請求項５に記載の取付補助具。
【発明の詳細な説明】
【技術分野】
【０００１】
本発明は、棚板や手摺を支持するためのブラケットや吊下げ用のフック等の物品を壁面などの取付対象面に取り付けるための物品取付構造に用いる物品取付用具、物品取付用装置及び取付補助具に関する。
【背景技術】
【０００２】
従来の物品取付構造として、先端が尖状に形成された金属板からなる釘部材と、その釘部材の先端部に形成された係合穴に係合可能なねじ部材とを用いたものが知られている（例えば特許文献１を参照。）。かかる物品取付構造では、物品の少なくとも一部を壁面との間に介装させた状態で、釘部材が壁面に刺込まれた後に、この釘部材の打込み方向に対して壁面の裏面側で交差する方向に沿ってねじ部材が壁面にねじ込まれ、そのねじ込まれたねじ部材が釘部材の先端部に形成された係合穴に係合される。このことで、釘部材及びねじ部材の壁面からの抜けが良好に抑制されることになる。
【先行技術文献】
【特許文献】
【０００３】
【特許文献１】特許第５２６５８０２号公報
【発明の概要】
【発明が解決しようとする課題】
【０００４】
上記従来の物品取付構造では、壁面に刺込まれた釘部材の先端部に形成された係合穴に対して、同じく壁面にねじ込まれたねじ部材が、壁面の裏面側において係合するので、釘部材の先端部がねじ部材のねじ込み方向の逆方向（壁表側）に引き寄せられ、結果、釘部材に対して、刺込み方向とは逆の作用力や刺込み方向に対するピッチ方向の回転モーメントが作用することになる。すると、釘部材が壁面から抜ける方向に変移したり、壁面における釘部材の刺込み箇所が、側方への応力が印加されることで拡張又は崩壊し易くなる。結果、釘部材の壁面への取り付けが不安定な状態となって、がたつきが生じるという問題があった。
【０００５】
この実情に鑑み、本発明の主たる課題は、物品を取付対象面に取り付ける物品取付構造において、物品を取付対象面に対して、安定且つ強固に取り付けることができる技術を提供する点にある。
【課題を解決するための手段】
【０００６】
本発明の第１特徴構成は、
物品を取付対象面に取り付ける物品取付用具であって、
前記取付対象面に刺込まれる刺込部と、
前記刺込部の基端部に連接し、当該基端部から前記刺込部の側方に延出する延出部と、を有し、
前記刺込部及び前記延出部が、一体で構成され、
前記延出部には、前記取付対象面に刺込まれる係合固定用具が挿通する挿通穴が形成され、
前記刺込部には、前記挿通穴を挿通した前記係合固定用具が前記取付対象面に刺込まれた状態で係合する係合穴が形成されている点にある。
【０００７】
本特徴構成によれば、物品取付用具の刺込部を取付対象面に刺込んだ状態で、この刺込部の刺込み方向に対して取付対象面の裏面側で交差する方向に沿って別途準備した係合固定用具を取付対象面に刺込み、取付対象面の裏面側において、係合固定用具を刺込部に形成された係合穴に係合させることができる。このことにより、刺込部を有する物品取付用具及び係合固定用具の取付対象面からの抜けを良好に防止することができる。
【０００８】
更に、物品取付用具を、刺込部を取付対象面に刺込んだ状態で取付対象面に取り付けると、その刺込部の基端部に連接する延出部が、取付対象面の表面側に沿って延出した姿勢となる。その後、係合固定用具を、取付対象面の表面側において上記延出部に形成された挿通穴に挿通させた状態で取付対象面に取り付けることで、物品取付用具における延出部の姿勢が取付対象面に沿った状態で保持されることになり、それに伴い、その延出部に連接する刺込部の姿勢が、取付対象面に刺込まれた状態で保持されることになる。
【０００９】
よって、物品取付用具の刺込部に形成された係合穴に係合固定用具が係合し、当該刺込部に対して刺込み方向に対するピッチ方向の回転モーメントが作用する場合でも、その刺込部の姿勢が保持されていることで、取付対象面における刺込部の刺込み箇所に対する側方への応力の印加が抑制される。すると、取付対象面における刺込部の刺込み箇所の拡張や崩壊が防止され、結果、物品取付用具を安定した姿勢で且つ強固に取付対象面に取り付けることができる。
従って、物品の少なくとも一部を物品取付用具の延出部と取付対象面との間に介装させる形態で、取付対象面に対して物品を安定且つ強固に取り付けることができる。
【００１０】
本発明の第２特徴構成は、
前記刺込部及び前記延出部が、折り曲げ加工された一体の金属板で構成され、
前記刺込部の基端部に連接し当該刺込部の前記取付対象面への刺込み方向に沿って折り返された折返部を有し、
前記折返部の端部に前記延出部が連接する点にある。
【００１１】
本特徴構成によれば、物品取付用具を一体の金属板で構成し、当該物品取付用具の刺込部及び延出部をその金属板を折り曲げ加工して形成することで、強度に優れた物品取付用具を廉価に製造することができる。
また、その物品取付用具の刺込部の基端部には上記折返部が設けられているので、当該折返部における取付対象面への刺込み方向に対する強度を向上させることができる。よって、物品取付用具において、取付対象面への刺込み時にかかる押圧力や打撃力に耐える強度を簡単且つ廉価な構造で実現することができる。
【００１２】
本発明の第３特徴構成は、
物品を取付対象面に取り付ける物品取付用装置であって、
前記取付対象面に刺込まれる刺込部を有する物品取付用具と、
前記取付対象面に刺込まれる係合固定用具と、を備え、
前記物品取付用具は、前記刺込部の基端部に連接し、当該基端から前記刺込部の側方に延出する延出部を有し、
前記刺込部及び前記延出部が、一体で構成され、
前記物品取付用具の延出部には、前記係合固定用具が挿通する挿通穴が形成され、
前記物品取付用具の刺込部には、前記挿通穴を挿通した前記係合固定用具が前記取付対象面に刺込まれた状態で係合する係合穴が形成されている点にある。
【００１３】
本特徴構成によれば、上記第１乃至第２特徴構成の何れかを有する物品取付用具に加えて、係合固定用具を備えた形態で、取付対象面に対して物品を安定且つ強固に取り付けることができる物品取付用装置を構成し、この物品取付用装置により、上記第１乃至第２特徴構成の何れかと同様の作用効果を奏することができる。
【００１４】
本発明の第４特徴構成は、
前記物品として、前記物品取付用具の延出部と前記取付対象面との間に介装される取付プレートを備え、
前記取付プレートには、前記物品取付用具の刺込部が挿通する物品取付用具挿通穴と、前記係合固定用具が挿通する係合固定用具挿通穴とが形成されている点にある。
【００１５】
本特徴構成によれば、物品としての取付プレートを備え、その取付プレートに形成された物品取付用具挿通穴及び係合固定用具挿通穴に対して、物品取付用具及び係合固定用具を挿通させる状態で、取付プレートを取付対象面に取り付けることができる。
【００１６】
本発明の第５特徴構成は、
上記本発明の第３乃至第４特徴構成の何れかを有する物品取付用装置において、前記物品取付用具及び前記係合固定用具の取付対象面への取り付けを補助する取付補助具であって、
前記物品取付用具の少なくとも刺込部を、当該刺込部の前記取付対象面への刺込み方向に沿ってスライド可能に案内する物品取付用具ガイド部と、
前記係合固定用具を、当該係合固定用具の前記取付対象面への刺込み方向に沿ってスライド可能に案内する係合固定用具ガイド部と、を備えた点にある。
【００１７】
本特徴構成によれば、上記物品取付用具ガイド部と上記係合固定用具ガイド部とを備えた取付補助具を用いることにより、取付対象面に対して、物品取付用具及び係合固定用具を所定の刺込み方向に沿って正確に刺込むことができる。更に、物品取付用具及び係合固定用具を取付対象面に対して正確に刺込むことができるので、取付対象面の裏面側において、物品取付用具の刺込部に形成された係合穴に対して正確に係合固定用具を係合させることができ、係合不良による夫々の抜けを防止することができる。
また、物品取付用具ガイド部において、物品取付用具の刺込部をスライド可能に案内するにあたり、当該刺込部に連接する延出部の取付対象面に対する取付姿勢を保持するためのガイドを設けることで、物品取付用具を一層確実に所定の姿勢で取付対象面に取り付けることができる。
【００１８】
本発明の第６特徴構成は、
前記物品に対して位置決め可能な位置決め機構部を備えた点にある。
【００１９】
本特徴構成によれば、取付補助具に上記位置決め機構部を設けることで、その位置決め機構部により取付対象面への取付姿勢で保持された物品に対して取付補助具を容易に位置決めすることができる。よって、物品取付用具及び係合固定用具の夫々を、物品の所定の位置において取付対象面に容易に刺込むことができる。
【図面の簡単な説明】
【００２０】
【図１】物品取付用装置の構成並びにそれにより取付対象面に取り付けられた物品の状態を示す側断面図
【図２】取付対象面に配置された取付プレートに対する物品取付用具の刺込み状態を示す斜視図
【図３】取付対象面に配置された取付プレートに対するねじ部材の刺込み状態を示す斜視図
【図４】取付対象面に取り付けられた取付プレートに対する物品の組み付け状態を示す斜視図
【図５】取付補助具の構成並びにそれによる取付対象面に対する物品取付用具及びねじ部材の取り付け補助状態を示す斜視図
【図６】取付補助具の平面図
【図７】押棒部材の立断面図
【発明を実施するための形態】
【００２１】
本発明の実施形態について図面に基づいて説明する。
図１に示すように、本実施形態の物品取付用装置は、物品取付用具３、ねじ部材４（係合固定用具の一例）、及び、取付プレート２から構成されている。
そして、詳細については後述するが、図２及び図３に示すように、石膏ボード等からなる壁面（取付対象面の一例）１に対して、壁面１へ取り付けられる物品としての取付プレート２が物品取付用装置を構成する物品取付用具３及びねじ部材４により取り付けられ、更に、図４に示すように、この取り付けられた取付プレート２に対して、壁面１へ取り付けられる物品としての棚板１５（図１参照）を支持するためのブラケット１２等が固定される。
【００２２】
先ず、取付プレート２に対して棚板１５を支持するためのブラケット１２等を固定するための詳細構成について、図１及び図４を参照して説明する。
取付プレート２は、上下に長尺の帯状に形成された金属プレートで構成されており、その表面側には複数の雌ねじ部２３が固着されている。そして、この取付プレート２は、壁面１に対して、雌ねじ部２３を表面側に配置させた状態で当該壁面１に沿った姿勢で配置される。尚、本願において、壁面１を基準に室内に向かう側を表面側と呼び、逆に、壁面１を基準に室内とは反対に向かう側を裏面側と呼ぶ。
【００２３】
更に、取付プレート２の表面側には、当該取付プレート２の表面側を覆う樹脂製のカバー１０を介装させた状態で、棚板１５を支持するためのブラケット１２が装着される。そして、複数のボルト１４が、ブラケット１２に形成されたボルト挿通穴１３及びカバー１０に形成されたねじ挿通穴１１を挿通させた状態で、取付プレート２に固着された雌ねじ部２３に締結されることで、ブラケット１２が取付プレート２に固定されることになる。
【００２４】
次に、本実施形態の物品取付用具３及びそれを備えた物品取付用装置の詳細構成について、図１〜図３を参照して説明する。
【００２５】
物品取付用装置は、壁面１に刺込まれる刺込部３１を有する物品取付用具３と、同じく壁面１に刺込まれるねじ部材４と、上述した取付プレート２とを含む物品取付用キットとして構成されている。
【００２６】
ねじ部材４としては、汎用的な石膏ボード用のねじが用いられており、このねじ部材４は、壁面１に対してねじ込む形態で刺込まれる係合固定用具として機能する。
【００２７】
上下に長尺の帯状に形成された金属プレートで構成された取付プレート２には、物品取付用具３の刺込部３１が挿通する物品取付用具挿通穴２１と、ねじ部材４が挿通するねじ部材挿通穴２２（係合固定用具挿通穴の一例）とが形成されている。尚、本実施形態では、２組の物品取付用具３及びねじ部材４を用いて、取付プレート２が壁面１に取り付けられるため、一の取付プレート２には、２組の物品取付用具挿通穴２１及びねじ部材挿通穴２２が上下方向に配置されている。
【００２８】
取付プレート２において、物品取付用具挿通穴２１の形状は、後述する刺込部３１の断面形状に合わせて左右に長尺の長方形とされており、一方、ねじ部材挿通穴２２の形状は、ねじ部材４の断面形状に合わせて円形とされている。そして、取付プレート２は、後述する物品取付用具３の延出部３４と壁面１との間に介装される状態で、壁面１に取り付けられることになる。
【００２９】
物品取付用具３は、刺込部３１に加えて、その刺込部３１の基端部に連接し、当該基端部から刺込部３１の側方に延出する延出部３４を有する。更に、物品取付用具３は、強度に優れた物品取付用具３を廉価に製造するべく、折り曲げ加工された一体の金属板で構成されており、その折り曲げ箇所の一方側が刺込部３１として機能し、他方側が延出部３４として機能する。
【００３０】
物品取付用具３の刺込部３１は、尖状の先端を有する略平板状の部位として形成されており、その先端側付近には、ねじ部材４のねじ径よりも若干小径に形成されて当該ねじ部材４が係合可能な係合穴３２が形成されている。尚、かかる刺込部３１では、刺込部３１の基端側（延出部３４に対する連接側）から先端側に向かう方向が、壁面１に対する刺込部３１の刺込み方向となる。
一方、物品取付用具３の延出部３４は、略平板状の部位として形成されており、その先端付近には、ねじ部材４が挿通可能な径を有する挿通穴３５が形成されている。尚、かかる延出部３４では、延出部３４の基端側（刺込部３１に対する連接側）から先端側に向かう方向が、当該延出部３４の延出方向となる。
【００３１】
そして、図２に示すように、取付プレート２が壁面１上の所定位置に配置された状態で、壁面１に対して延出部３４を略平行とする姿勢で、物品取付用具３の刺込部３１が、取付プレート２の物品取付用具挿通穴２１を通じて、所定の刺込み方向に沿って壁面１に刺込まれる。
すると、図３に示すように、刺込部３１の基端側に連接する延出部３４は、壁面１の表面側に沿って、詳しくは取付プレート２の表面に沿って、刺込部３１の壁面１への刺込み方向に対する側方に延出した姿勢となる。
【００３２】
この際、延出部３４に形成されている挿通穴３５は、取付プレート２に形成されたねじ部材挿通穴２２に対して、略同軸上で重畳する位置に配置されることになる。即ち、取付プレート２において互いに対応するねじ部材挿通穴２２と物品取付用具挿通穴２１との間隔が、物品取付用具３において刺込部３１の基端側と挿通穴３５との間隔と略同等に設定されている。
【００３３】
次に、図３に示すように、物品取付用具３が壁面１に刺込まれた状態において、ねじ部材４が、物品取付用具３の延出部３４に形成された挿通穴３５、及び、取付プレート２のねじ部材挿通穴２２を通じて、上述した刺込部３１の刺込み方向に対して壁面１の裏面側において交差する所定の刺込み方向に沿って壁面１にねじ込む形態で刺込まれる。
【００３４】
すると、図４に示すように、壁面１に刺込まれたねじ部材４の先端部が、壁面１の裏面側において、刺込部３１に形成された係合穴３２に係合することにより、物品取付用具３及びねじ部材４の壁面１からの抜けが良好に防止されることになる。
【００３５】
更に、壁面１に刺込まれたねじ部材４の頭部が、延出部３４に形成された挿通穴３５の外周縁を取付プレート２の表面に向けて押圧することで、物品取付用具３における延出部３４の姿勢が、取付プレート２の表面に沿った状態で保持されることになり、それに伴い、延出部３４に連接する刺込部３１の姿勢が、壁面１に刺込まれた状態で保持されることになる。
【００３６】
よって、ねじ部材４が刺込部３１に形成された係合穴３２に係合することにより、当該刺込部３１に対して刺込み方向に対するピッチ方向の回転モーメントが作用する場合でも、その刺込部３１の姿勢が保持されていることで、壁面１における刺込部３１の刺込み箇所に対する側方への応力の印加が抑制されることになる。よって、壁面１が脆弱な石膏ボードからなる場合でも、壁面１の刺込み箇所の拡張や崩壊が防止され、結果、物品取付用具３が安定した姿勢で且つ強固に壁面１に取り付けられることになる。
【００３７】
また、本実施形態では、刺込部３１の刺込み方向は、延出部３４が沿う側の壁面１に対して鋭角（例えば４５度）を成す方向とされ、ねじ部材４の刺込み方向は壁面１に対して略直角を成す方向、詳しくは壁面１に対して略直角を成す方向よりも僅かに刺込部３１側に傾斜した方向とされている。言い換えれば、物品取付用具３において、刺込部３１の刺込み方向と延出部３４の延出方向とが成す角度、即ち、物品取付用具３を構成する金属板の折曲角度が、９０度未満の鋭角（例えば４５度）とされている。
【００３８】
このことで、壁面１に対して物品取付用具３の後に取り付けられるねじ部材４について、その長さをできるだけ短くでき、更には、壁面１へのねじ込み操作を容易にすることができる。また、刺込部３１の刺込み方向とねじ部材４の刺込み方向とが、比較的大きな角度で交差することになるので、刺込部３１に形成された係合穴３２に対してねじ部材４を係合させやすくなる。
【００３９】
更に、この刺込部３１に形成された係合穴３２は、図３に示すように、刺込部３１の刺込み方向に沿って基端側を鋭角部とし先端側を丸み部とした略雫形に形成されている。また、この係合穴３２の丸み部の内径は、ねじ部材４のねじ部の外径よりも若干小さく設定されていることから、この丸み部にねじ部材４が係合可能となる。
よって、基端側から先端側に向けて斜め方向に挿入されるねじ部材４は係合孔３２の先端側に形成された丸み部に良好に係合されることになる。
また、係合穴３２に対するねじ部材４の先端部の挿入位置が刺込部３１の刺込み方向の基端側に多少ずれた場合でも、ねじ部材４の先端部が上記係合孔３２の基端側に形成された鋭角部に挿入されることにより、その先端部が適切に刺込部３１の刺込み方向の先端側にある丸み部に誘導されて正確に係合されることになり、結果、当該ずれによる係合不良が抑制されることになる。
【００４０】
図２に示すように、物品取付用具３において、刺込部３１の基端部側には、当該基端部に連接し当該刺込部３１の壁面１への刺込み方向に沿って折り返された折返部３３が形成されている。即ち、この折返部３３は、刺込部３１の基端側に連接する金属板を、延出部３４側に向けてＵ字状に山折りした部位として構成されている。よって、この折返部３３の端部には、延出部３４に連接するよう谷折りされた部位が存在することになる。
そして、このように形成された折返部３３は、簡単且つ廉価な構造でありながら、刺込部３１の刺込み方向において高い強度を有することができる。よって、物品取付用具３の刺込部３１を壁面１に刺込むにあたって、この折返部３３に押圧力や打撃力を付加した場合でも、物品取付用具３の損傷や変形を抑制することができる。
【００４１】
以上が本実施形態の物品取付用具３及びそれを備えた物品取付用装置の詳細構成であるが、次に、このような物品取付用装置において、物品取付用具３及びねじ部材４の壁面１への取り付けを補助する取付補助具５の詳細構成について、図５〜図７を参照して説明する。
【００４２】
図５及び図６に示すように、取付補助具５は、物品取付用具３の少なくとも刺込部３１の壁面１への正確な刺込みを補助するための物品取付用具ガイド部５１と、ねじ部材４の壁面１への正確な刺込みを補助するためのねじ部材ガイド部５３（係合固定用具ガイド部の一例）とが本体部５５の表面側に設けられている。
【００４３】
具体的に、取付補助具５は、取付プレート２を壁面１上の所定位置に配置した状態で、本体部５５の底面を当該取付プレート２の表面に当接させる姿勢で保持される。
更に、この本体部５５の底面には、複数の位置決め用突起部５６が形成されており、当該複数の位置決め用突起部５６を取付プレート２に穿設された複数の位置決め用穴部２４に嵌入させることで、当該取付補助具５は、取付プレート２に対して位置決めされることになる。即ち、本体部５５の底面に形成された複数の位置決め用突起部５６、及び、取付プレート２に穿設された複数の位置決め用穴部２４は、取付補助具５を物品としての取付プレート２に対して位置決め可能な位置決め機構部として機能することになる。
【００４４】
また、この取付補助具５は、取付プレート２に対して位置決めされた状態で、壁面１に対する姿勢又は位置を変更することなく、物品取付用具３の刺込部３１の刺込みを補助した後に、その物品取付用具３及び壁面１に対して、ねじ部材４の刺込みを補助するように構成されている。すなわち、取付補助具５において、物品取付用具ガイド部５１とねじ部材ガイド部５３との相対位置は、壁面１に刺込まれる刺込部３１とねじ部材４との相対位置に合わせて決定されている。
【００４５】
物品取付用具ガイド部５１は、上述した物品取付用具３の少なくとも刺込部３１を、当該刺込部３１の壁面１への刺込み方向に沿ってスライド可能に案内する溝部５２を有する。具体的に、この溝部５２は、物品取付用具３の刺込部３１よりも僅かに大きな幅を有し両端部が開放された溝として形成されている。
【００４６】
よって、この溝部５２の表面側（壁面１とは反対側）の開放端部から、物品取付用具３の刺込部３１が当該刺込部３１の壁面１への刺込み方向に向けて挿入されると、その挿入された刺込部３１は、幅方向へ変移することなく、溝部５２の底面５２ａに当接した状態で所定の刺込み方向に向けてスライド可能に保持されることになる。
【００４７】
また、取付補助具５が取付プレート２に対して位置決めされた状態において、溝部５２においてスライド可能に保持された物品取付用具３の刺込部３１は、取付プレート２に形成された物品取付用具挿通穴２１と同軸上に配置されることになる。
したがって、溝部５２に挿入された物品取付用具３の刺込部３１を壁面１に向けてスライドさせると、その物品取付用具３の刺込部３１が、取付プレート２の物品取付用具挿通穴２１を通じて、所定の刺込み方向に沿って壁面１に刺込まれることになる。
【００４８】
更に、溝部５２に刺込部３１が挿入された物品取付用具３は、延出部３４を壁面１に対して略平行な状態で保持することが望ましい。そこで、その状態を補助するべく、溝部５２において底面とは反対側に形成される帯状の開放部５２ｂの縁部は、延出部３４の幅方向の両端部に形成された括れ部３６に嵌る形態で内方側に突出するガイド部５２ｃとして形成されている。よって、刺込部３１が溝部５２に挿入されスライドする物品取付用具３は、ガイド部５２ｃが延出部３４の括れ部３６に嵌ることで、刺込部３１が溝部５２の底面５２ａから浮き上がることなく、延出部３４が壁面１に対して略平行となる所定の姿勢で保たれることになる。
また、本体部５５には、このように姿勢が保たれた延出部３４が当該本体部５５の表裏において通過可能な通過部５７が形成されている。
【００４９】
溝部５２に挿入された刺込部３１を刺込み方向にスライドさせて壁面１に刺込むにあたり、刺込部３１の基端部を同刺込み方向に押圧又は打撃する必要がある。そこで、溝部５２と略同じ断面を有し溝部５２に嵌入される本体部６１を有する押棒部材６が準備されている。よって、溝部５２に対して、刺込部３１を挿入した状態でこの押棒部材６を挿入し、その押棒部材６を当該刺込部３１の刺込み方向に押圧又は打撃することで、刺込部３１を容易に壁面１に刺込むことができる。
また、この押棒部材６の両端部は、刺込み時の押圧又は打撃に耐えるように強度を向上するべく、溝部５２に挿入された状態で開放部５２ｂに突出する断面Ｔ字状の補強部が設けられている。
【００５０】
一方、ねじ部材ガイド部５３は、上述したねじ部材４を、当該ねじ部材４の壁面１への刺込み方向に沿ってスライド可能に案内する筒穴部５４を有する。具体的に、この筒穴部５４は、ねじ部材４の頭部よりも僅かに大きな径を有し両端部が開放された筒状穴として形成されている。
【００５１】
よって、この筒穴部５４の表面側（壁面１とは反対側）の端部から、ねじ部材４が当該ねじ部材４の壁面１への刺込み方向に向けて挿入されると、その挿入されたねじ部材４は、軸心がずれることなく、所定の刺込み方向に向けてスライド可能となる。
また、取付補助具５が取付プレート２に対して位置決めされた状態において、筒穴部５４においてスライド可能に保持されたねじ部材４は、取付プレート２に形成されたねじ部材挿通穴２２と同軸上に配置されることになる。
したがって、筒穴部５４に挿入されたねじ部材４を壁面１に向けてスライドさせると、そのねじ部材４が、取付プレート２のねじ部材挿通穴２２を通じて、所定の刺込み方向に沿って壁面１に刺込まれることになる。
そして、ドライバー等によりねじ部材４を押圧回転させることで、当該ねじ部材４を所定の刺込み方向に沿って壁面１にねじ込むことができる。
【００５２】
また、取付補助具５は、本体部５５に延出部３４が通過可能な通過部５７が形成され、更に、物品取付用具ガイド部５１を構成する溝部５２及びねじ部材ガイド部５３を構成する筒穴部５４が、両端部が開放された状態で形成されていることから、取付補助具５を用いて壁面１に対して物品取付用具３及びねじ部材４を取り付けた後には、取付補助具５を取り除くことができる。
【００５３】
〔別実施形態〕
（１）上記実施形態では、物品取付用具３において刺込部３１の刺込み方向と延出部３４の延出方向とが成す角度を９０度未満の鋭角としたが、この角度を９０度もしくはそれ以上の鈍角としても構わない。
また、上記実施形態では、刺込部３１の刺込み方向を延出部３４が沿う側の壁面１に対して鋭角（例えば４５度）を成す方向とし、ねじ部材４の刺込み方向は壁面１に対して略直角を成す方向としたが、これらの刺込み方向は適宜改変可能であり、例えば、刺込部３１の刺込み方向を壁面１に対して略直角を成す方向とし、ねじ部材４の刺込み方向を延出部３４が沿う側の壁面１に対して鋭角を成す方向としても構わない。
【００５４】
（２）上記実施形態では、取付補助具５は、壁面１に対する姿勢又は位置を変更することなく、刺込部３１とねじ部材４との壁面１への刺込みを補助するべく、物品取付用具ガイド部５１とねじ部材ガイド部５３との相対位置を壁面１に刺込まれる刺込部３１とねじ部材４との相対位置に合わせて決定したが、壁面１に対する姿勢又は位置の変更を許容する場合には、これらの相対位置関係を適宜変更しても構わない。
【００５５】
（３）上記実施形態では、係合固定用具として汎用的なねじ部材４を利用したが、係合固定用具としては、壁面１に対して刺込まれ、同じく壁面１に刺込まれた刺込部３１に形成された係合穴３２に係合するものであれば良く、例えば汎用的な釘や専用の部材などで構成しても構わない。
【００５６】
（４）上記実施形態では、物品取付用具３を折り曲げ加工された一体の金属板として構成したが、別に、折り曲げ加工以外の方法で刺込部３１及び延出部３４を形成した金属製又は樹脂製の部材として構成することもできる。
【００５７】
（５）上記実施形態では、先ず、物品取付用装置により壁面１に対して取り付けられる物品である取付プレート２を取り付け、次に、その取付プレート２に対して残りの物品であるブラケット１２等を固定するように構成したが、物品取付用装置により物品全体を取り付けるように構成しても構わない。
また、取付プレート２には、物品取付用具３の刺込部３１が挿通する物品取付用具挿通穴２１と、ねじ部材４が挿通するねじ部材挿通穴２２とを形成したが、これら少なくとも一方を改変又は省略しても構わない。即ち、物品取付用装置により壁面１に取り付けられる物品については、物品取付用具３の延出部３４と壁面１との間に介装される部位を有することで、壁面１に取り付け可能となる。
【００５８】
（６）上記実施形態では、取付補助具５を取付プレート２に対して位置決め可能な位置決め機構部を、取付補助具５に設けられた位置決め用突起部５６を取付プレート２の位置決め用穴部２４に嵌入させるように構成したが、例えば、取付補助具の底面に凹部を設け、その凹部に取付プレート全体又は一部を嵌入させることで、取付補助具５を取付プレート２に対して位置決めするように構成しても構わない。
また、位置決めされた取付補助具５を取付プレート２に固定する構成を採用しても構わない。例えば、その固定方法としては、単純にねじによる固定方法などを採用することができるが、例えば、取付補助具の底面に設けた凹部に取付プレート全体又は一部を嵌入させて位置決めする場合には、取付プレートに対して取付補助具をスライドさせることで、取付プレートの外周縁から側方に突出形成された突起部を、取付補助具の凹部の側壁に形成された溝部に係合させる形態で、取付補助具５を取付プレート２に固定することができる。
【００５９】
（７）上記実施形態では、取付補助具５による補助を受けて、壁面１に対して物品取付用具３及びねじ部材４を刺込む形態としたが、当然、このような取付補助具５による補助を受けることなく、壁面１に対して物品取付用具３及びねじ部材４を刺込んでも構わない。
【符号の説明】
【００６０】
１      壁面（取付対象面）
２      取付プレート（物品）
３      物品取付用具
４      ねじ部材（係合固定用具）
５      取付補助具
１５    棚板（物品）
２１    物品取付用具挿通穴
２２    ねじ部材挿通穴
２４    位置決め用穴部（位置決め機構部）
３１    刺込部
３２    係合穴
３３    折返部
３４    延出部
３５    挿通穴
５１    物品取付用具ガイド部
５３    ねじ部材ガイド部（係合固定用具ガイド部）
５６    位置決め用突起部（位置決め機構部）
【要約】
【課題】物品を取付対象面に取り付ける物品取付構造において、物品を取付対象面に対して、安定且つ強固に取り付けることができる技術を提供する。
【解決手段】物品２を取付対象面１に取り付ける物品取付用装置において、取付対象面１に刺込まれる刺込部３１を有する物品取付用具３と、取付対象面１に刺込まれる係合固定用具４とを備え、物品取付用具３は、刺込部３１の基端部に連接し、当該基端から刺込部３１の側方に延出する延出部３４を有し、物品取付用具３の延出部３４には、係合固定用具４が挿通する挿通穴３５が形成され、物品取付用具３の刺込部３１には、挿通穴３５を挿通した係合固定用具４が取付対象面１に刺込まれた状態で係合する係合穴３２が形成されている。
【選択図】図３【図１】
0005804337.tif 000002
【図２】
0005804337.tif 000003
【図３】
0005804337.tif 000004
【図４】
0005804337.tif 000005
【図５】
0005804337.tif 000006
【図６】
0005804337.tif 000007
【図７】
0005804337.tif 000008